(57)【要約】【課題】紐で身体が締め付けられたり結び目で圧迫されたりして苦痛を感じるということがないばかりか、短時間で一人でも容易に帯結びを完成させることができ、しかも変化に富んだ独創的な帯結びを可能とする。【解決手段】長尺に作られた帯板本体４と、この帯板本体４の長手方向両端部に設けられた互いに係脱自由な係着部片５ａ，５ｂと、帯板本体４の長手方向に所定間隔を有して配置された複数の通孔６により形成された通孔列７ａ，７ｂ，７ｃ，７ｄとからなり、前記通孔６を挿通する係止部材８で前記帯板本体４の表裏を縫合し、前記両端部の係着部片５ａ，５ｂを互いに係着することにより身体の胴部に巻回状態で装着可能とした。【選択図】      図１
0003101684.tif 000002
【実用新案登録請求の範囲】
【請求項１】
長尺に作られた帯板本体と、この帯板本体の長手方向両端部に設けられた互いに係脱自由な係着部片と、前記帯板本体の長手方向に所定間隔を有して配置された複数の通孔により形成された少なくとも一列の通孔列とからなり、前記両端部の係着部片を互いに係着することにより身体の胴部に巻回状態で装着可能としたことを特徴とする帯結び用帯板。
【請求項２】
長尺に作られた帯板本体と、この帯板本体の長手方向両端部に設けられた互いに係脱自由な係着部片と、前記帯板本体の長手方向に所定間隔を有して配置された複数の通孔により形成された少なくとも一列の通孔列と、前記通孔に取付けられて前記帯板本体に添設された係止部材とからなり、前記両端部の係着部片を互いに係着することにより身体の胴部に巻回状態で装着可能としたことを特徴とする帯結び用帯板。
【請求項３】
前記係止部材が紐状であり、前記帯板本体を縫うように前記通孔に挿通されて添設されている請求項２記載の帯結び用帯板。
【請求項４】
前記係止部材が紐状であり、前記帯板本体を長手方向に縫うように少なくとも一列の前記通孔列の前記通孔に挿通されて添設されている請求項２記載の帯結び用帯板。
【請求項５】
前記通孔列のうち少なくとも二列が帯板本体の幅方向両端に設けられ、それぞれの通孔列に前記係止部材が添設されている請求項４記載の帯結び用帯板。
【請求項６】
前記係止部材が前記帯板本体のほぼ全長にわたって添設されている請求項２，４または５記載の帯結び用帯板。
【請求項７】
前記係止部材が物品係止用の金具であり、前記通孔に取付けられて任意個所に添設されている請求項２記載の帯結び用帯板。
【請求項８】
前記帯板本体が身体に巻回装着したとき内側になる内側板部材と外側になる外側板部材との二層とされており、前記内側板部材が摩擦係数の小さい材料で作られ、前記外側板部材が摩擦係数の大きい材料で作られている請求項１，２，３，４，５，６または７記載の帯結び用帯板。
【請求項９】
前記内側板部材と外側板部材とが前記係止部材により互いに縫合されて重ね合わされている請求項８記載の帯結び用帯板。
【請求項１０】
前記帯板本体が実質的に単一の板部材で作られ、且つ内側表面が小さい摩擦係数とされ外側表面が大きい摩擦係数とされている請求項１，２，３，４，５，６または７記載の帯結び用帯板。
【請求項１１】
長尺に作られた帯板本体と、この帯板本体の長手方向両端部に設けられた互いに係脱自由な係着部片と、前記帯板本体の長手方向に所定間隔を有して配置された複数の通孔により形成された通孔列と、前記通孔に取付けられて前記帯板本体に添設された係止部材とからなる帯結び用帯板であって、前記帯板本体が身体に巻回装着したとき内側になり摩擦係数の小さい材料で作られた内側板部材と外側になり摩擦係数の大きい材料で作られた外側板部材との二層からなり、また前記通孔列が幅方向の一端から他端まで三列以上設けられ、且つ前記係止部材が紐状であって、この係止部材が前記帯板本体の前記内側板部材と外側板部材とを重ね合わせて互いに縫合するように幅方向両端に位置する前記通孔列の前記通孔に長手方向に挿通されて前記帯板本体のほぼ全長にわたって添設され、前記両端部の係着部片を互いに係着することにより身体の胴部に巻回状態で装着可能としたことを特徴とする帯結び用帯板。
【考案の詳細な説明】
【０００１】
【産業上の利用分野】
本考案は和装において各種の帯結びを行なうための帯結び用帯板に関するものである。
【０００２】
【従来の技術】
通常、着物の帯結びの際には、帯の形を整えるために帯枕や帯揚げ、帯締め、仮紐など多くの紐類を身体における胴部の前面において結ぶものであり、それらの紐が身体を締め付け、また特にその結び目が丁度胃の辺りに集まって身体を圧迫するため、苦痛を感じることが多い。またこのような帯結びは時間がかかるうえ、ある程度の力と人の手を要するため、一人で手早くしかも美しく仕上げるのは、熟練者にとっても困難なものである。
【０００３】
この問題を解決するために、予め帯結びにできあがった帯を身体につける方法も用いられているが、形や大きさが画一的で、種類も限られており、個性的で体型に合った形や大きさの帯結びを期待することはできず、また一本の帯で様々な帯結びを楽しむこともできない。
【０００４】
そこで帯結びを補助するものとして、従来例えば実開平６−２０４２６号公報記載の前結び帯具がある。この前結び帯具は、摩擦係数の小さい材料からなり、身体の胴部に着脱自在に装着される帯状の帯板の中央部にポケットが形成され、帯紐が係止された帯紐受けを前記ポケットに挿入するものであって、身体の前で様々な形に帯を結んだ後これを背中に回すという結び方には適しており、短時間でしかも一人で帯を結ぶことを容易としたものである。
【０００５】
【考案が解決しようとする課題】
しかしながら、前記公報に記載されている前結び帯具を使用して帯結びを行なうと、帯紐の結び目が最終的に身体の前面に位置することとなり、帯揚げ・帯締めなどの結び目とともに胃の辺りを圧迫するという問題点は解決されない。また、この前結び帯具は摩擦係数の小さい材料からなっているため、帯板と着物との間は滑りがよく帯を前で結んだ後に背中に回すには適しているが、帯板と帯との間も滑りやすいため、帯紐受けを用いない結び方の場合などには帯が帯板の周りで滑り易く、そのため結帯後に帯結びの位置が背中心をずれるなど安定せず、更に帯の形崩れを生じるという問題もある。
【０００６】
そこで本考案はこれらの課題を解決し、紐で身体が締め付けられたり結び目で圧迫されたりして苦痛を感じるということがないばかりか、短時間で一人でも容易に帯結びを完成させることができ、しかも変化に富んだ独創的な帯結びを実現することができる帯結び用帯板を提供することを目的とする。
【０００７】
【課題を解決するための手段】
上述のような課題を解決するためなされた本考案に係る一つの帯結び用帯板は、長尺に作られた帯板本体と、この帯板本体の長手方向両端部に設けられた互いに係脱自由な係着部片と、前記帯板本体の長手方向に所定間隔を有して配置された複数の通孔により形成された少なくとも一列の通孔列とからなり、前記両端部の係着部片を互いに係着することにより身体の胴部に巻回状態で装着可能とするものである。
【０００８】
前記帯結び用帯板は、帯板本体を着物の上から身体の胴部に巻き付け、両端の係着部片を互いに係着して身体の胴部に装着し、帯板本体の上に帯を巻いて帯結びを行なうものであるが、胴回り全体に帯板本体が存在するため、紐類が身体に食い込む心配がない。また、帯板本体と着物との間にタオルなどを挟んでおいて後に取り除くことにより、帯板本体と身体との間に適当なゆとりを作ることもできる。
【０００９】
そして、このとき用いる帯、あるいは帯枕の紐、変わり結び用の仮紐類、リボン類、その他の紐類を、必要に応じて前記通孔に挿通して使用する。この通孔の大きさは挿通する紐などの太さに応じて適宜決定され、全ての通孔が均一でなく異径であってもよく、形状も丸孔に限らない。これらの通孔は、帯板本体の長手方向にわたって所定間隔で複数個少なくとも一列形成されるので、身体の胴回りのどの位置にでも配置することができ、例えば帯枕の紐の両端を身体の両脇に位置するそれぞれの通孔に取付ければ、紐類の結び目が身体の前面に集中することを防ぐことができる。
【００１０】
また、帯の一部や、変わり結び用の仮紐類、リボン類、その他の紐類を、胴回りの自由な位置、特に従来は不可能であった位置に仮止めしたり、取付けることができるので、従来の変わり結びが容易にできるだけでなく、独創的な変化に富んだ変わり結びも可能となる。
【００１１】
更に、前記通孔に、従来から帯結びに用いられている金具やバンドなどの小物を取付けて使用することもでき、あるいは装飾用の造花やリボンを取付けて帯結びに変化を加えることも、鍵などの貴重品を取付けておくこともでき、前記通孔列を幅方向に数段並設することにより、帯板本体のほぼ全面に通孔を配置すれば、極めて通気性の良い帯結び用帯板となる。
【００１２】
次に、本考案に係るもう一つの帯結び用帯板は、長尺に作られた帯板本体と、この帯板本体の長手方向両端部に設けられた互いに係脱自由な係着部片と、前記帯板本体の長手方向に所定間隔を有して配置された複数の通孔により形成された少なくとも一列の通孔列と、前記通孔に取付けられて前記帯板本体に添設された係止部材とからなり、前記両端部の係着部片を互いに係着することにより身体の胴部に巻回状態で装着可能としたものである。この係止部材は、前記通孔のうち必要な任意の位置にある通孔に取付け、この係止部材を介して帯や紐類その他の和装小物を装着することができる。
【００１３】
更に、前記係止部材を帯板本体を縫うように挿通される細紐とする場合には、係止部材を帯板本体の表裏に容易に設けることができ、細紐で形成されているため、かさばって身体を圧迫することもなく、金具のように着物や帯などを傷つける心配もない。この係止部材は一対の通孔間に細紐を渡してなる構成であるので、帯紐やリボンなどを通して輪の部分を係止したり、端を結びつけたり、帯の手先などを直接通して止めたりと、極めて使い勝手が良い。
尚、前記細紐を挿通する際は、任意の通孔に挿通すればよく、長手方向に限らず幅方向や斜めでもよく、また隣り合う通孔でなくともよい。
【００１４】
特に前記紐状の係止部材が、前記帯板本体を長手方向に縫うように少なくとも一列の通孔列の通孔に挿通されて添設されていると、胴回りのあらゆる位置で前記係止部材を用いることができる。
【００１５】
そして、前記通孔列のうち少なくとも二列が帯板本体の幅方向両端に設けられ、それぞれの通孔列に前記係止部材が添設されていると、帯結び用帯板に天地の区別が無くなり、使い勝手がよい。
【００１６】
更に、前記係止部材が前記帯板本体のほぼ全長にわたって添設されていると、身体の胴回りの全周に隙間なく係止部材が配置されるので、結び目の位置を自由に決めて身体の圧迫を防止することができ、様々な変わり結びを容易に作ることができ、またそれらを体型に応じて微調整することも容易である。
【００１７】
更にまた、前記係止部材を物品係止用の金具とし、前記通孔に取付けて任意個所に添設してもよい。
【００１８】
また以上のような帯結び用帯板において、前記帯板本体が身体に巻回装着したとき内側になる内側板部材と外側になる外側板部材との二層とされており、前記内側板部材が摩擦係数の小さい材料で作られ、前記外側板部材が摩擦係数の大きい材料で作られている場合は、帯板本体の外周に帯を結んだ際、帯板本体の外側と帯との摩擦が大きいため双方が胴回り方向や上下方向に簡単にずれる心配がないため、必要以上に帯などを緊縛することがなく、しかも着物と帯板本体との摩擦は小さく滑りがよいので、結帯後に帯を帯板本体とともに胴回り方向に回すことが極めて容易であるため、一人で身体の前で結んだ後背中側に回す一人結びにも適したものとなる。
【００１９】
そして前記内側板部材と外側板部材とを前記係止部材により互いに縫合して重ね合わせた場合には、前記両板部材を重ね合わせるために、例えば貼り合わせたり縫い合わせたりと他の手段を講じる必要が無く製造が簡単である。
【００２０】
更に、前記帯板本体が実質的に単一の板部材で作られ、且つ内側表面が小さい摩擦係数とされ外側表面が大きい摩擦係数とされた場合は、一層製造が簡単である。
【００２１】
また最適な帯結び用帯板として、長尺に作られた帯板本体と、この帯板本体の長手方向両端部に設けられた互いに係脱自由な係着部片と、前記帯板本体の長手方向に所定間隔を有して配置された複数の通孔により形成された通孔列と、前記通孔に取付けられて前記帯板本体に添設された係止部材とからなる帯結び用帯板であって、前記帯板本体が身体に巻回装着したとき内側になり摩擦係数の小さい材料で作られた内側板部材と外側になり摩擦係数の大きい材料で作られた外側板部材との二層からなり、また前記通孔列が幅方向の一端から他端まで三列以上設けられ、且つ前記係止部材が紐状であって、この係止部材が前記帯板本体の前記内側板部材と外側板部材とを重ね合わせて互いに縫合するように幅方向両端に位置する前記通孔列の前記通孔に長手方向に挿通されて前記帯板本体のほぼ全長にわたって添設され、前記両端部の係着部片を互いに係着することにより身体の胴部に巻回状態で装着可能としたものがある。
【００２２】
【考案の実施の態様】
次に、本考案の実施の態様を図面に基づいて説明する。
【００２３】
図１、図２に示す本考案である帯結び用帯板１は身体の胴部に巻回した際に身体側にあって着物２０と接触する内側板部材２と、この内側板部材２の外側にあって帯２１と接触する外側板部材３とを重ね合わせて形成されている。
【００２４】
内側板部材２は、ポリエチレン、ポリプロピレン、ポリアミドなどの熱可塑性樹脂をそのままあるいは適度に発泡させた適宜の厚さを有する板材からなり、摩擦係数の小さい滑りやすいものとなっており、幅１３．５ｃｍ、長さ８０ｃｍ程度の帯状を呈している。また外側板部材３は、例えば綿、ポリアミド、ポリエステル、アセテートなどの繊維層の単層あるいは多層からなり、摩擦係数の大きい滑りにくいものとなっており、裁断後に周囲が解れないように加工した幅１３．５ｃｍ、長さ１００ｃｍ程度の帯状となっている。
【００２５】
そして、前記内側板部材２と外側板部材３とを重ね合わせてなる帯板本体４の長手方向両端部には、外側板部材３に取付けられた面ファスナである係着部片５ａ，５ｂが設けられているとともに、帯板本体４には前記内側板部材２と外側板部材３を貫く直径５ｍｍほどの通孔６が多数穿設されている。この通孔６は図２に示すように、長手方向に向かって５ｃｍ間隔と６ｃｍ間隔交互に帯板本体４のほぼ全長にわたり設けられて通孔列を形成し、本実施の態様においては幅方向に四列の通孔列７ａ，７ｂ，７ｃ，７ｄが等間隔で配置されている。尚、前記係着部片５ａ，５ｂは係脱自在であればよく、例えばフックなどでもよい。
【００２６】
また前記通孔列の内で幅方向両端に位置する通孔列７ａおよび７ｄには、全長にわたって、綿、ポリアミド、ポリエステルなどの繊維を撚り合わせて作った細紐を帯板本体４を縫うように挿通することにより、係止部材８が帯板本体４の表裏に交互に連設されるとともに、内側板部材２と外側板部材３とが縫合され重ね合わされている。
【００２７】
上述の実施の態様における帯結び用帯板１は、内側板部材２と外側板部材３とを重ね合わせて形成されているが、内側表面と外側表面の摩擦係数が異なる一体成型としてもよい。また、内側板部材２の大きさは、幅３ｃｍ〜１８ｃｍ、長さ６０ｃｍ〜１３０ｃｍ程度、外側板部材３の大きさは、幅３ｃｍ〜１８ｃｍ、長さ８０ｃｍ〜１５０ｃｍ程度、通孔６の大きさは１ｍｍから６ｍｍ程度が最適であるが、その他の大きさで実施することも可能である。
また本実施の態様では係止部材８を紐状のものとしたが、通孔６に取付けて帯や紐類など係止する合成樹脂や金属製のクリップやフックなどでも良い。
【００２８】
このような本実施の態様である帯結び用帯板１を使用するには、図３に示すように、着物２０を着た身体の胴部に巻回して係着部５ａ，５ｂを互いに係着することにより装着する。尚、ここでは身体の前面で帯結びを行なうものとする。
そして次に、帯結び用帯板１の上から帯２１を適宜回数巻くとともに様々な帯結びを行なうが、例えば帯２１の手先２１ａを胴部に巻回する帯２１から上方に出して止めておく場合に、図４及び図５に示すように、予め帯結び用帯板１の内側（身体側）に設けられた任意の位置の係止部材８に紐２３やリボン２４を挿通して輪の部分で係止しておき、前記手先２１ａを例えば前記紐２３で結ぶことにより自由な位置に止めておくことができる。
【００２９】
更に帯２１を巻いて、図６に示すように、帯結び用帯板１の任意の位置の係止部材８に係止してある前記リボン２４により帯２１の様々な位置を結ぶことにより、変化に富んだ変わり結びを作ったり、また紐２３やリボン２４を装飾に用いることもできる。
【００３０】
また、帯枕２２を使用する際は、図７に示すように、枕部２２ａを身体の前面で押さえつつ両側の紐２２ｂ，２２ｂを、帯２１の内側にある帯結び用帯板１の内側（身体側）に設けられた係止部材８のうち身体の両脇に位置するものに挿通して係止し、再び身体の前面に持ってきて前記枕部２２ａの下で結ぶことにより、身体を緊縛することなく帯枕２２を確実に固定して装着することができる。しかも結帯後、結びあがった帯２１と帯結び用帯板１とを一緒に胴回りを回すことにより、帯枕２２の紐２２ｂ，２２ｂの結び目は、最終的に背中側に移動して終了するので胃のあたりを圧迫することもない。
【００３１】
更に、結帯後帯結び用帯板１に形成された複数の通孔６は、着物を着たときに特にむれやすい帯部の通気性を向上させ、装着感の良いものとなる。
【００３２】
尚、帯が小袋や細帯、浴衣帯など幅の狭い帯である場合には、手先を帯結び用帯板の外側にある係止部材に直接挿通して止めておくこともできる（図示せず）。
【００３３】
【考案の効果】
本考案は以上のように構成されているので、紐類が身体を締め付けたりくい込んだりすることがなく、また結び目の位置を自由に決めて一カ所に集中させず、しかも容易に変化に富んだ独創的な帯結びを実現することができ、更にいろいろな和装小物や貴重品なども取付けることができる帯結び用帯板となった。
【図面の簡単な説明】
【図１】本考案の一実施の形態を示す斜視図
【図２】図１に示した実施の形態の平面図
【図３】図１に示した実施の形態の装着状態を示す説明図
【図４】図１に示した実施の形態を用いた帯結びの手順を示す説明図
【図５】図４に示した帯結びの手順を示す説明図
【図６】図５に示した帯結びの次の手順を示す説明図
【図７】帯枕の装着状態を示す説明図
【符号の説明】
１  帯結び用帯板  、２    内側板部材、３    外側板部材、４  帯板本体，５ａ，５ｂ  係着部片、６    通孔、７ａ，７ｂ，７ｃ，７ｄ  通孔列，８    係止部材
【図１】
0003101684.tif 000003
【図２】
0003101684.tif 000004
【図３】
0003101684.tif 000005
【図４】
0003101684.tif 000006
【図５】
0003101684.tif 000007
【図６】
0003101684.tif 000008
【図７】
0003101684.tif 000009